(57)【要約】【課題】壁面の見栄えを良好に維持することが可能な壁掛け補助具および壁掛け具の提供を目的とする。【解決手段】壁掛け対象物１を壁掛けするために壁面２に固定される壁掛け補助具Ａであって、  固定基材３上にクッション材４を重ねてシート状に形成され、ステープル５の打ち込み位置において前記クッション材４を圧縮してステープル止めされるとともに、残余の領域において壁掛け対象物１のより広い接着貼り付け面６を確保可能に前記クッション材４をコルクにより形成して壁掛け補助具Ａを構成する。  また、以上の壁掛け補助具Ａと、  コルクに対する高接着性を備えて壁掛け対象物１を接着貼り付け面６に貼り付け固定する両面テープ７とを有して壁掛け具Ｂを構成する。【選択図】図２
2018068434.tif 000002
【特許請求の範囲】
【請求項１】
壁掛け対象物を壁掛けするために壁面に固定される壁掛け補助具であって、
固定基材上にクッション材を重ねてシート状に形成され、ステープルの打ち込み位置において前記クッション材を圧縮してステープル止めされるとともに、残余の領域において壁掛け対象物のより広い接着貼り付け面を確保可能に前記クッション材をコルクにより形成した壁掛け補助具。
【請求項２】
請求項１記載の壁掛け補助具と、
コルクに対する高接着性を備えて壁掛け対象物を接着貼り付け面に貼り付け固定する両面テープとを有する壁掛け具。
【請求項３】
前記両面テープが再剥離性両面テープからなる請求項２記載の壁掛け具。
【発明の詳細な説明】
【技術分野】
【０００１】
本発明は壁掛け補助具、および壁掛け具に関するものである。
【背景技術】
【０００２】
壁掛け対象物を壁掛けするために壁面に固定される壁掛け具として、従来、特許文献１に記載されたものが知られている。この従来例において、壁掛け具は、取付ネジによって壁面に固定される壁側掛止金具のフックに対し、壁掛け対象物としてのボードに固定されるボード側掛止金具のフックを引っ掛けることにより、ボードを壁面に掛けることができるようにされる。
【先行技術文献】
【特許文献】
【０００３】
【特許文献１】特開２００５-２６１８０２号公報
【発明の概要】
【発明が解決しようとする課題】
【０００４】
しかしながら、上記従来例は、壁面から取り外したときにネジの穴が残ってしまい、壁面の見栄えが悪くなるという欠点がある。
【０００５】
本発明は以上の欠点を解消すべくなされたもので、壁面の見栄えを良好に維持することが可能な壁掛け補助具および壁掛け具の提供を目的とする。
【課題を解決するための手段】
【０００６】
本発明によれば、上記目的は、
壁掛け対象物１を壁掛けするために壁面２に固定される壁掛け補助具Ａであって、
固定基材３上にクッション材４を重ねてシート状に形成され、ステープル５の打ち込み位置において前記クッション材４を圧縮してステープル止めされるとともに、残余の領域において壁掛け対象物１のより広い接着貼り付け面６を確保可能に前記クッション材４をコルクにより形成した壁掛け補助具Ａを提供することにより達成される。
【０００７】
本発明によれば、壁掛け補助具Ａは、固定基材３上にクッション材４を重ねてシート状に形成され、壁面２に対してステープル止めされる。上記クッション材４は、ステープル５の打ち込み位置において圧縮されるとともに、残余の領域において壁掛け対象物１のより広い接着貼り付け面６を確保可能にコルクにより形成される。
【０００８】
したがって本発明によれば、取り外したときに壁面２にはステープル５の穴が残るに止まるために、壁面２の見栄えを良好に維持することが可能になる。すなわち、上記ステープル５として例えば広く文房具として普及しているもの、言い換えればＪＩＳ（日本工業規格）においてステープラ用つづり針の１０号として規定されるものを利用した場合には、その縦０．５ミリ程度、横０．３ミリ程度という極めて細い線径に応じて壁面２の穴のサイズも極めて小さくなるために、その存在を目視では容易に確認できなくなる。
【０００９】
なお、上述したネジよりも一般に針の細い画鋲であっても、その線径は、通常、直径１ミリ程度である。
【００１０】
また、上述のようにステープル５を利用すると、壁材として一般に広く採用されている石膏ボードへの取り付けも良好になる。すなわち、石膏ボードは弾性があまりなく極めて脆いことから、例えばカレンダーなどを画鋲で留めたときには、画鋲の針を支えている部分が集中的に荷重負担することによって、針の穴が広がるように変形してしまうおそれがあり、これによって壁面２の見栄えが大きく損なわれるおそれがある。この点、ステープル５によれば、コ字形状、すなわち脚部が一対あり、かつこれらの脚部が頭部（肩部）で一体化されているために、荷重負担を良好に分散することができる。また、ステープル５は、荷重負担をよりさらに分散させるために多数本を打ち込むこともステープラを用いて簡単にできるし、上述のように文房具として普及していれば、打ち込みのために専用の工具を準備する必要もなく、さらに、文房具として一般に使い慣れているために、あまり操作が難しいこともない。
【００１１】
また、本発明によれば、上述のように固定基材３にクッション材４を重ねることにより、ステープル５の打ち込みに応じてクッション材４を圧縮変形させ、壁掛け対象物１の接着貼り付け面６となるその表面にステープル５の頭部のみが良好な密着を妨げるように突出するのを防ぐことができる。さらに、本発明によれば、上記クッション材４の素材としてコルクを採用することにより、打ち込まれるステープル５の頭部近傍を極めて局所的に圧縮変形させて壁掛け対象物１の平坦な接着貼り付け面６をより広く確保することがきる。
【００１２】
すなわち、コルクは、ポアソン比がほぼ０という極めて特異な性質を有する物質であり、ステープル５の打ち込み位置が残余の領域に歪みをほとんどもたらすことなく局所的に圧縮されることにより、他の物質をクッション材４の素材にしたときに比べて、より面積の広い平滑な接着貼り付け面６を確保することが可能となる。
【００１３】
以上の壁掛け補助具Ａは、上述の接着貼り付け面６を両面テープの貼り付け面や接着剤の塗布面として利用することにより、これら両面テープ等を介して壁掛け対象物１を壁面２に壁掛けすることが可能である。上述のように面積が広く平滑な接着貼り付け面６が確保できれば、両面テープによる接着強度を高めたり、接着剤の塗布量を少なくしたりすることが可能である。
【００１４】
上記固定基材３は、ステープル５が打ち込み可能で、また、壁掛け対象物１の荷重が作用したときに容易に引き裂けたり、変形したりしない程度の強度、厚さを備えたものであれば足りる。具体的には例えば、ポリ塩化ビニル（ＰＶＣ）やポリエチレンテレフタレート（ＰＥＴ）などの適宜の合成樹脂材を薄板状にしたり、あるいは硬質紙などによって構成することが可能である。
【００１５】
一方、クッション材４は、ステープル５の頭部が沈み込み可能な厚さ寸法のコルクシートで足りる。したがって壁掛け補助具Ａは、例えばクッション材４を固定基材３の表面に接着固定して構成すれば、極めて構造が簡単になる。
【００１６】
また、本発明によれば、上記壁掛け具は、
以上の壁掛け補助具Ａと、
コルクに対する高接着性を備えて壁掛け対象物１を接着貼り付け面６に貼り付け固定する両面テープ７とを有して構成することができる。
【００１７】
このように壁掛け補助具Ａのみでなく両面テープ７をも含めて壁掛け具として構成することによって、別途両面テープ７や接着剤を準備する面倒を省くことができる。特に、コルク専用の接着剤が市販されているように、接着剤にはコルクとの相性があまり良くないものも珍しくはないところ、相性の良い粘着テープと組み合わせておくことにより、使い勝手が格段に向上する。また、両面テープ７は接着剤よりも接着作業が簡単で、養生のための時間も必要ないために、壁掛け対象物１の壁掛け作業をより簡単にすることができる。
【００１８】
上記両面テープ７には、上述したコルクとの相性などのほか、壁掛け対象物１との接着強度や、耐久性などを考慮して、適宜のものを採用できる。この場合において、再剥離性両面テープ７を採用した場合には、壁掛け対象物１からの剥離の際の糊残りを防止でき、上述したように壁面２の見栄えのみならず、壁掛け対象物１の見栄えをも良好に維持することができる。
【発明の効果】
【００１９】
以上の説明から明らかなように、本発明によれば、壁面の見栄えを良好に維持することが可能な壁掛け補助具および壁掛け具を提供することができるために、取り外した後の壁面の補修を心配することなく、様々なものを壁掛けにすることで室内空間を有効活用したり、デザイン性を高めることが可能になる。
【図面の簡単な説明】
【００２０】
【図１】本発明に係る壁掛け補助具を示す図で、（ａ）は正面図、（ｂ）は側面図である。
【図２】壁掛け補助具の壁面への固定作業を説明する図で、（ａ）は壁面への固定に適したサイズに切り取った壁掛け補助具を示す正面図、（ｂ）はステープラを用いた固定作業を示す要部縦断面図である。
【図３】壁掛け補助具への両面テープの貼り付け作業を説明する図で、（ａ）は両面テープの構造を説明する図、（ｂ）は壁掛け補助具に両面テープを貼り付けた状態を示す正面図、（ｃ）は壁掛け対象物対する壁掛け具の配置関係を示す正面図である。
【図４】図３（ｃ）の４Ａ-４Ａ線断面図である。
【図５】変形例を図４に対応して示す図である。
【発明を実施するための形態】
【００２１】
図１ないし図４に本発明の実施の形態を示す。この実施の形態において、壁掛け補助具Ａは、図１（ａ）および（ｂ）に示すように、薄板状の固定基材３と、コルクシートからなるクッション材４とを有し、これらを重ねて接着することによりシート状に形成される。
【００２２】
上記固定基材３は、厚さ０．１-０．２ミリ程度のポリ塩化ビニルの薄板材である。
【００２３】
上記クッション材４のコルクシートは、厚さ１ｍｍのものである。このコルクシートの厚さは、後述するようにステープル５としてステープラ用つづり針の１０号を用いるこの実施の形態においては、その頭部の０．３ミリ程度という厚さ寸法に応じた圧縮変形をある程度容易にできるものである。なお、上記コルクシートは、比較的粒子の小さなコルクの粒を用いて製造されるものである。
【００２４】
壁掛け補助具Ａは、以上の固定基材３とクッション材４とを図示省略の適宜の接着剤によって全面に渡って密に接着して形成される。なお、コルクの寸法公差などに配慮して図１（ａ）に示すようにクッション材４は固定基材３よりもやや大きいサイズに設定される。
【００２５】
また、壁掛け補助具Ａは、後述する小片１１の適数を切り取ることができるように、この実施の形態においては、一辺が３０-４０ｃｍ程度の矩形形状に形成される。さらに、クッション材４の固定基材３への接着面とは反対面、すなわち表面には、後述するステープル５の打ち込み位置を利用者に知らせるための矩形枠状のガイド表示１２が所定ピッチで印刷される。このガイド表示１２は、ステープル５の頭部の平面寸法よりもひとまわり大きい程度のサイズに形成される。
【００２６】
また、以上の壁掛け補助具Ａは、図３（ａ）に示す両面テープ７と組み合わせることにより壁掛け具Ｂを構成する。
【００２７】
上記両面テープ７は、再剥離性両面テープ７であり、貼り付けた後で剥離しやすい、言い換えれば、糊残りが生じにくいものである。この両面テープ７は、再剥離性に優れた粘着剤７ａと、引張り強さに優れた基材７ｂとを有して構成され、具体的には、上記粘着剤７ａにアクリル系粘着剤を、基材７ｂに高強度不織布を用いた日東電工株式会社製の「Ｎｏ．５０００ＮＤ」が用いられる。また、以上の両面テープ７は比較的厚手に形成されることにより、粗面接着性に優れたものでもある。なお、図３（ａ）において７ｃは、剥離ライナー（剥離紙）である。
【００２８】
以上の壁掛け具Ｂを利用した壁掛け作業について以下に説明する。壁掛け作業は、先ず最初に、壁掛け対象物１のサイズや重さなどを考慮した数量、大きさの小片１１を壁掛け補助具Ａからハサミ等によって切り取ることにより始められる。石膏ボードからなる壁面２に壁掛け対象物１としての鏡を壁掛けするこの実施の形態においては、鏡１の４隅に対応して小片１１の４枚が切り取られ、各小片１１は、図２（ａ）に示すように、単一のガイド表示１２を内部に含むような大きさの矩形形状をなす。これにより、各小片１１は、上述したガイド表示１２のサイズに応じて、少なくともステープル５の１本を打ち込むことができる大きさに担保される。
【００２９】
また、小片１１の切り取りに際しては、ガイド表示１２を利用することにより、その大きさを管理することができる。上述のようにステープル５の１本を打ち込むための小片１１の切り取りは、ガイド表示１２同士の中央を切り取り位置の目安にしてすることができる。
【００３０】
このようにして小片１１を切り取ったら、次に、固定基材３を壁面２に合わせた上で、クッション材４側からステープル５を打ち込む。ステープル５の打ち込みは、図２（ｂ）に示すように、いわゆるタッキングであり、ステープラ１３を開き、そのヘッド部１３ａの先端部を小片１１に合わせた上で壁面２側に押し込むことによりすることができる。また、この際には、打ち込まれるステープル５の頭部がほぼ水平となるようにステープラ１３を縦向きにした上で、やや前下がりに傾けておくことにより、ステープル５が壁面２に対して斜め下方に向かって突き刺さり、水平方向に抜けにくくすることができる。なお、図２（ｂ）において１４はステープラ１３を操作する人の指である。また、コルクシートはステープル５が比較的食い込みやすいものであることから、その打ち込み作業も非常に簡単にすることができる。
【００３１】
以上の操作により、ステープル５が壁掛け補助具Ａの小片１１を貫通して壁面２に深く突き刺さり、これにより壁掛け補助具Ａが壁面２にしっかりと固定される。上述のように鏡１を壁掛けするこの実施の形態において、壁掛け補助具Ａは、図３（ｃ）に示すように、鏡１の４隅に対応する位置に配置される。
【００３２】
この後、両面テープ７を小片１１と同じ程度のサイズに切り、図３（ｂ）に示すように小片１１の表面に貼り付ければ、壁掛けの準備が整う。最後に、図３（ｃ）および図４に示すように、鏡１の４隅を両面テープ７に貼り付ければ、鏡１が両面テープ７の接着力、およびステープル５の壁面２からの引抜強度に応じた強さで壁面２に固定される。壁掛け具Ｂはその厚さが極めて薄いために、壁掛け状態において鏡１は壁面２にほぼ密着するような状態になる。これにより、外観がスマートな上に、紐で吊り下げたときのように地震の際にぶらぶらと揺れるようなこともない。なお、１本のステープル５の壁面２からの引抜強度に対し、両面テープ７の接着強度が同じ程度となるように小片１１の面積を設定することにより、固定強度を効率的に得ることが可能である。
【００３３】
また、部屋の模様替えなどにより鏡１を壁面２から取り外す際には、その四隅を引っ張るだけで再剥離性両面テープ７を鏡１からある程度容易に剥がすことができるし、鏡１に糊残りが生じることもない。さらに、壁掛け具Ｂは、ステープル５の打ち込み方向とは逆方向に引っ張ることにより、壁面２から容易に取り外すことができる。
【００３４】
加えて、ステープル５としてステープラ１３用つづり針の１０号を用いるこの実施の形態において、壁掛け具Ｂを取り外した壁面２には、目視では確認することが容易ではないステープル５の穴が残るだけであることから、その見栄えが良好に維持される。
【００３５】
図５に本発明の変形例を示す。なお、この変形例において上述した実施の形態と同一の要素は、図中に同一の符号を付して説明を省略する。この変形例において、壁掛け対象物１は絵画等を収容した額縁である。
【００３６】
上記額縁１は、周縁部において裏面側に突出する飾り１ａがあり、この飾り１ａを避けてその内側に壁掛け具Ｂを取り付けるために、壁掛け具Ｂには適宜の厚さを備えたスペーサ１５が取り付けられる。このスペーサ１５は、例えば底面が小片１１と同じ程度の多きさのブロック状の合成樹脂材など、軽量で適宜の強度を備えたもので構成される。
【００３７】
したがってこの変形例においても、壁掛け状態において額縁１は、壁面２にほぼ密着したような状態になり、裏面側に埃等が進入しにくくなる。
【００３８】
なお、以上の実施の形態および変形例においては、ステープラ１３を前下がりにして打ち込み操作をすることにより、ステープル５を壁面２に対して斜め下方に向かって突き刺す場合を示したが、ステープル５を水平方向に向かって突き刺した場合には、壁掛け補助具Ａを壁面２から離れる方向に単に引っ張るだけで簡単に取り外すことができるようになる。また、以上の実施の形態等においては、打ち込み操作の際にステープラ１３を縦向きにする場合を示したが、壁掛け場所の広さなどに応じてステープラ１３を横向きにして打ち込むことも可能であり、この場合には、壁掛け補助具Ａも壁面２に縦向きに合わせておけばよい。さらに、以上の実施の形態等においては、小片１１として単一のガイド表示１２を内部に含むようなサイズのものを用いた場合を示したが、壁掛け対象物１の重さなどに応じて、複数のガイド表示１２、１２、・・・を内部に含むサイズにすることも可能である。
【符号の説明】
【００３９】
１    壁掛け対象物
２    壁面
３    固定基材
４    クッション材
５    ステープル
６    接着貼り付け面
７    両面テープ
Ａ    壁掛け補助具
【図１】
2018068434.tif 000003
【図２】
2018068434.tif 000004
【図３】
2018068434.tif 000005
【図４】
2018068434.tif 000006
【図５】
2018068434.tif 000007